【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
互いに異なる場所に設置された複数の電子看板に表示されるサイネージ情報の表示内容を制御する電子看板表示制御装置であって、
各前記電子看板の設置場所情報を含む各電子看板情報を記憶する電子看板情報記憶手段と、
携帯型端末装置の位置を示す位置情報と、当該携帯型端末装置の基準位置が向けられている方位を示す方位情報と、を含む端末情報を、当該携帯型端末装置から通信手段を介して取得する端末情報取得手段と、
前記記憶された電子看板情報と、前記取得された端末情報と、に基づいて、前記電子看板情報記憶手段から、１又は複数の電子看板を特定する電子看板特定手段と、
前記特定された電子看板が前記携帯型端末装置のユーザにより視認されたことを示す視認履歴情報を蓄積する視認履歴情報蓄積手段と、
を備えることを特徴とする電子看板表示制御装置。
【請求項２】
前記電子看板に表示されるサイネージ情報の表示内容は予め設定された表示スケジュールにしたがって切り替わるものであって、
前記特定された電子看板に対応する表示スケジュールと、前記端末情報の取得時刻と、に基づいて、当該取得時刻に前記電子看板に表示されたサイネージ情報を特定するサイネージ情報特定手段を更に備え、
前記視認履歴情報蓄積手段は、前記特定されたサイネージ情報が前記携帯型端末装置のユーザにより視認されたことを示す視認履歴情報を蓄積することを特徴とする請求項１に記載の電子看板表示制御装置。
【請求項３】
前記電子看板に表示される複数のサイネージ情報及び配信スケジュールがサーバ装置において保持されるものであって、
前記保持されている配信スケジュールにしたがってサイネージ情報を配信するサイネージ情報配信手段と、
前記サイネージ情報を配信する配信スケジュールと、前記端末情報の取得時刻と、に基づいて、当該取得時刻に前記電子看板に表示されたサイネージ情報を特定するサイネージ情報特定手段を更に備え、
前記視認履歴情報蓄積手段は、前記特定されたサイネージ情報が前記携帯型端末装置のユーザにより視認されたことを示す視認履歴情報を蓄積することを特徴とする請求項１に記載の電子看板表示制御装置。
【請求項４】
前記端末情報は、前記ユーザにより所定の操作が行われた場合に当該携帯型端末装置から送信されることを特徴とする請求項１乃至３の何れか一項に記載の電子看板表示制御装置。
【請求項５】
前記端末情報は、前記携帯型端末装置が所定時間静止された場合、又は前記携帯型端末装置の傾きが所定値以上変化した場合に当該携帯型端末装置から送信されることを特徴とする請求項１乃至３の何れか一項に記載の電子看板表示制御装置。
【請求項６】
前記端末情報は、前記携帯型端末装置に備えられたカメラにより前記電子看板が所定時間以上捉えられた場合に当該携帯型端末装置から送信されることを特徴とする請求項１乃至３の何れか一項に記載の電子看板表示制御装置。
【請求項７】
前記電子看板特定手段により複数の電子看板が特定された場合には、当該複数の電子看板の一覧を示すリスト情報を作成するリスト作成手段と、
前記作成されたリスト情報を前記携帯型端末装置に送信するリスト情報送信手段と、
前記携帯型端末装置に送信されたリスト情報から前記ユーザにより選択された電子看板を示す選択情報を、当該携帯型端末装置から通信手段を介して取得する選択情報取得手段と、
を更に備え、
前記電子看板特定手段は、前記取得された選択情報に示される電子看板を特定することを特徴とする請求項１乃至６の何れか一項に記載の電子看板表示制御装置。
【請求項８】
前記各電子看板の周りに設置された建造物等の障害物の設置場所情報及び高さ情報を含む障害物情報を記憶する障害物情報記憶手段を更に備え、
前記電子看板特定手段は、前記携帯型端末装置の位置から見て前記障害物によりユーザによる視認が遮られない前記電子看板を特定することを特徴とする請求項１乃至７の何れか一項に記載の電子看板表示制御装置。
【請求項９】
前記電子看板特定手段により特定された電子看板に現在表示されているサイネージ情報に対応するコンテンツ情報を前記携帯型端末装置に送信するコンテンツ情報送信手段を更に備えることを特徴とする請求項１乃至８の何れか一項に記載の電子看板表示制御装置。
【請求項１０】
各前記携帯型端末装置に送信されたコンテンツ情報を表示させる表示制御手段と、
前記コンテンツ情報が表示された各携帯型端末装置上における、当該コンテンツ情報に対するユーザ操作を示す操作情報を、当該各携帯型端末装置から通信手段を介して取得する操作情報取得手段と、
を更に備え、
前記表示制御手段は、前記取得された操作情報に基づいて、前記電子看板に表示されるコンテンツ情報の表示内容を制御することを特徴とする請求項８に記載の電子看板表示制御装置。
【請求項１１】
前記コンテンツ情報に対する前記操作情報が所定の条件を満たしているか判定する判定手段を更に備え、
前記表示制御手段は、前記判定手段により前記条件を満たしていると判定された場合に、前記電子看板に表示されるサイネージ情報の表示内容を制御することを特徴とする請求項１０に記載の電子看板表示制御装置。
【請求項１２】
互いに異なる場所に設置された複数の電子看板に表示されるサイネージ情報の表示内容を制御する電子看板表示制御装置における電子看板表示制御方法であって、
各前記電子看板の設置場所情報を含む各電子看板情報を記憶するステップと、
携帯型端末装置の位置を示す位置情報と、当該携帯型端末装置の基準位置が向けられている方位を示す方位情報と、を含む端末情報を、当該携帯型端末装置から通信手段を介して取得するステップと、
前記記憶された電子看板情報と、前記取得された端末情報と、に基づいて、前記電子看板情報記憶手段から、１又は複数の電子看板を特定するステップと、
前記特定された電子看板が前記携帯型端末装置のユーザにより視認されたことを示す視認履歴情報を蓄積するステップと、
を含むことを特徴とする電子看板表示制御方法。
【請求項１３】
互いに異なる場所に設置された複数の電子看板に表示されるサイネージ情報の表示内容を制御するコンピュータを、
各前記電子看板の設置場所情報を含む各電子看板情報を記憶する電子看板情報記憶手段、
携帯型端末装置の位置を示す位置情報と、当該携帯型端末装置の基準位置が向けられている方位を示す方位情報と、を含む端末情報を、当該携帯型端末装置から通信手段を介して取得する端末情報取得手段、
前記記憶された電子看板情報と、前記取得された端末情報と、に基づいて、前記電子看板情報記憶手段から、１又は複数の電子看板を特定する電子看板特定手段、及び、
前記特定された電子看板が前記携帯型端末装置のユーザにより視認されたことを示す視認履歴情報を蓄積する視認履歴情報蓄積手段として機能させることを特徴とする電子看板表示制御プログラム。
【手続補正２】
【補正対象書類名】明細書
【補正対象項目名】０００７
【補正方法】変更
【補正の内容】
【０００７】
上記課題を解決するために、請求項１に記載の発明は、互いに異なる場所に設置された複数の電子看板に表示されるサイネージ情報の表示内容を制御する電子看板表示制御装置であって、各前記電子看板の設置場所情報を含む各電子看板情報を記憶する電子看板情報記憶手段と、携帯型端末装置の位置を示す位置情報と、当該携帯型端末装置の位置から見た前記電子看板の基準位置が向けられている方位を示す方位情報と、を含む端末情報を、当該携帯型端末装置から通信手段を介して取得する端末情報取得手段と、前記記憶された電子看板情報と、前記取得された端末情報と、に基づいて、前記電子看板情報記憶手段から、１又は複数の電子看板を特定する電子看板特定手段と、前記特定された電子看板が前記携帯型端末装置のユーザにより視認されたことを示す視認履歴情報を蓄積する視認履歴情報蓄積手段と、を備えることを特徴とする。
【手続補正３】
【補正対象書類名】明細書
【補正対象項目名】００２８
【補正方法】変更
【補正の内容】
【００２８】
請求項１２に記載の発明は、互いに異なる場所に設置された複数の電子看板に表示されるサイネージ情報の表示内容を制御する電子看板表示制御装置における電子看板表示制御方法であって、各前記電子看板の設置場所情報を含む各電子看板情報を記憶するステップと、携帯型端末装置の位置を示す位置情報と、当該携帯型端末装置の基準位置が向けられている方位を示す方位情報と、を含む端末情報を、当該携帯型端末装置から通信手段を介して取得するステップと、前記記憶された電子看板情報と、前記取得された端末情報と、に基づいて、前記電子看板情報記憶手段から、１又は複数の電子看板を特定するステップと、前記特定された電子看板が前記携帯型端末装置のユーザにより視認されたことを示す視認履歴情報を蓄積するステップと、を含むことを特徴とする。
【手続補正４】
【補正対象書類名】明細書
【補正対象項目名】００２９
【補正方法】変更
【補正の内容】
【００２９】
請求項１３に記載の電子看板表示制御プログラムの発明は、互いに異なる場所に設置された複数の電子看板に表示されるサイネージ情報の表示内容を制御するコンピュータを、各前記電子看板の設置場所情報を含む各電子看板情報を記憶する電子看板情報記憶手段、携帯型端末装置の位置を示す位置情報と、当該携帯型端末装置の基準位置が向けられている方位を示す方位情報と、を含む端末情報を、当該携帯型端末装置から通信手段を介して取得する端末情報取得手段、前記記憶された電子看板情報と、前記取得された端末情報と、に基づいて、前記電子看板情報記憶手段から、１又は複数の電子看板を特定する電子看板特定手段、及び、前記特定された電子看板が前記携帯型端末装置のユーザにより視認されたことを示す視認履歴情報を蓄積する視認履歴情報蓄積手段として機能させることを特徴とする。